(57)【要約】      （修正有）【課題】架台の支柱を支持する取付金具をコンクリート床面に複数本のアンカー軸によって固定し、軽量コンクリート床面であっても十分な取付け強度を実現したパネル取付構造を提供する。【解決手段】パネル等の架台の支柱を構造物の基礎面に取り付けるパネル取付構造であって、構造物の基礎面１上に固定されるプレート部４を備えた取付金具２と、取付金具２を基礎面１へ固定するアンカー軸３と、取付金具２のプレート部４に挿通されて支柱５を支持する支軸６とを備え、プレート部４の下方に複数本のアンカー軸３を突設し、そのアンカー軸３の先方を基礎面１に埋め込み、それによって、プレート部４を基礎面１から幅を開けて取付け、プレート部４の上面から支柱５の支軸６を貫通させてその先方を基礎面１に埋設固定した。【選択図】図３
0003161082.tif 000002
【実用新案登録請求の範囲】
【請求項１】
パネル等の架台の支柱を構造物の基礎面に取り付けるパネル取付構造であって、
構造物の基礎面上に固定されるプレート部を備えた取付金具と、取付金具を基礎面へ固定するアンカー軸と、取付金具のプレート部に挿通されて支柱を支持する支軸とを備え、
プレート部の下方に複数本のアンカー軸を突設し、そのアンカー軸の先方を基礎面に埋め込み、それによって、プレート部を基礎面から幅を開けて取付け、
プレート部の上面から支柱の支軸を貫通させてその先方を基礎面に埋設固定したことを特徴とするパネル取付構造。
【請求項２】
支軸の貫通孔はプレート部の下面に筒状に突設され、支軸はその筒状に突設された孔に挿通する構成とした請求項２記載のパネル取付構造。
【請求項３】
プレート部の中央部分に支軸の貫通孔を形成し、その貫通孔の両側にそれぞれ間隔を開けて４カ所にアンカー軸を突設したことを特徴とする請求項１又は２記載のパネル取付構造。
【請求項４】
アンカー軸の軸上には埋め込み孔の上端に係止してアンカー軸の埋め込み深さを規制するナットが設けられていることを特徴とする請求項１〜３いずれか記載のパネル取付構造。
【請求項５】
ナットと基礎面の間にパッキンを介在させて、アンカー軸を基礎面に固着した後に、ナットを回転させてパッキンを基礎面に押し付け、防水処理を行う構成とした請求項４記載のパネル取付構造。
【請求項６】
プレート部の両端を上方または下方に屈曲させて補強処理を施したことを特徴とする請求項１〜５いずれか記載のパネル取付構造。
【考案の詳細な説明】
【技術分野】
【０００１】
本考案はパネル取付構造に関し、特に、架台の支柱を支持する取付金具をコンクリート床面に複数本のアンカー軸によって固定し、軽量コンクリート床面であっても十分な取付け強度を実現したパネル取付構造に関する。
【背景技術】
【０００２】
一般的にソーラーパネルなどのパネル状構造物を建物に取り付ける場合には、直接ビスなどの止着具によって外囲板に固定するか、あるいは、パネル状構造物側と施工面側に、取付けのための架台等を設けている。
そして、このようなソーラーパネルの取付構造に関する技術として特許文献１の技術が知られている。
【特許文献１】特開２０００−１２９８６９号公報
【考案の開示】
【考案が解決しようとする課題】
【０００３】
前記特許文献１の技術は、外囲板にソーラーパネルを容易に取付けかつ取り外す技術が記載されているが、コンクリート床面に適用する技術ではない。
ビル、マンション、その他施設等のコンクリートの屋上床面を有する構造物では、屋上陸屋根の平置スペースに架台を設置してソーラーパネルを取り付けるが、架台の設置に際してはブロック等の重量を利用して載置するのみ、あるいは自重により載置するのみであり、安定性の確保が十分になされていない現状がある。
一方、屋上のコンクリート床面にアンカーを埋め込んで架台を固定することもできるが、屋上の床面はシンダーコンクリート（軽量コンクリート）が使用されているために、十分な強度を確保できないという問題があった。
本考案は係る従来の問題点を解決するためになされたものであって、その目的とするところは、架台の支柱を支持する取付金具をコンクリート床面に複数本のアンカー軸によって固定し、軽量コンクリート床面であっても十分な取付け強度を実現したパネル取付構造を提供することにある。
【課題を解決するための手段】
【０００４】
前記目的を達成するための手段として請求項１記載のパネル取付構造では、パネル等の架台の支柱を構造物の基礎面に取り付けるパネル取付構造であって、構造物の基礎面上に固定されるプレート部を備えた取付金具と、取付金具を基礎面へ固定するアンカー軸と、取付金具のプレート部に挿通されて支柱を支持する支軸とを備え、プレート部の下方に複数本のアンカー軸を突設し、そのアンカー軸の先方を基礎面に埋め込み、それによって、プレート部を基礎面から幅を開けて取付け、プレート部の上面から支柱の支軸を貫通させてその先方を基礎面に埋設固定したことを特徴とする。
【０００５】
請求項２記載のパネル取付構造では、請求項１記載のパネル取付構造において、支軸の貫通孔はプレート部の下面に筒状に突設され、支軸はその筒状に突設された孔に挿通する構成とした。
【０００６】
請求項３記載のパネル取付構造では、請求項１又は２記載のパネル取付構造において、プレート部の中央部分に支軸の貫通孔を形成し、その貫通孔の両側にそれぞれ間隔を開けて４カ所にアンカー軸を突設したことを特徴とする。
【０００７】
請求項４記載のパネル取付構造では、請求項１〜３いずれか記載のパネル取付構造において、アンカー軸の軸上には埋め込み深さを規制するナットが設けられていることを特徴とする。
【０００８】
請求項５記載のパネル取付構造では、請求項４記載のパネル取付構造において、ナットと基礎面の間にパッキンを介在させて、アンカー軸を基礎面に固着した後に、ナットを回転させてパッキンを基礎面に押し付け、防水処理を行う構成とした。
【０００９】
請求項６記載のパネル取付構造では、請求項１〜５いずれか記載のパネル取付構造において、プレート部の両端を上方または下方に屈曲させて補強処理を施したことを特徴とする。
【考案の効果】
【００１０】
上記構成を採用することにより本考案では以下の効果を有する。
プレート部の下方に複数本のアンカー軸を突設したので、複数本のアンカー軸が荷重を分散してコンクリート床面に強固に取付金具を固定する。加えて、アンカー軸１カ所当たりの負荷を低減して、応力集中を防止するので強度を確保し難いシンダーコンクリートであっても確実に固定できる。
さらに、アンカー軸を複数本設定するので、一本当たりの埋め込み深さを浅くすることができ、コンクリート床面の防水層を破壊せずに取り付けることができる。
アンカー軸の先方を基礎面に埋め込み、プレート部を基礎面から幅を開けて取付けるので、プレート面が基礎面から浮き上がった状態とされる。そのため、基礎面上にプレート面がプラスして支軸の挿通深さが確保され、支軸を深く埋め込むのと同一の効果が得られる。
【００１１】
プレート部の中央部分に支軸の貫通孔を形成し、その貫通孔の両側にそれぞれ間隔を開けて４カ所にアンカー軸を突設したので、左右両側合計８本のアンカー軸によって応力が分散される。
【００１２】
アンカー軸の軸上には埋め込み深さを規制するナットが設けられているので、ナットが地面に係止して孔へのアンカー軸の陥入を規制し、プレート部の傾きを防止してプレート部を基礎面と水平に幅を開けて容易に取付けることができる。つまり、取付金具を基礎面上に幅を開けて浮き上がった状態へ容易に位置決めすることができる。
【００１３】
アンカー軸の上方の頭部と基礎面の間に位置する部位にナットを配置し、ナットと基礎面の間にパッキンを配置したので、アンカー軸を基礎面に固着した後に、ナットを回転させてパッキンを基礎面に押し付け、防水処理を行うことができる。
【００１４】
プレート部の両端を上方または下方に屈曲させて補強処理を施しているので、プレート部を厚く形成したのと同等の強度が得られる。
【考案を実施するための最良の形態】
【００１５】
本考案のパネル取付構造は、ビル、マンション等の屋上のコンクリート床面にソーラーパネルを設置する際に、その架台支柱の支持に適用する取付構造である。
以下、図面に基づいて本考案の実施例を説明する。
【実施例１】
【００１６】
第１実施例に係る取付金具を説明する。
本考案のパネル取付構造は図１〜４に示すように、構造物の基礎面１（施工面）上に固定される取付金具２と、取付金具を基礎面１へ固定するアンカー軸３と、取付金具２のプレート部４に挿通されて支柱５を支持する支軸６とを備えている。
【００１７】
取付金具２は上方に向かって開いた断面Ｃ型若しくはＵ型の形状の幅状の鋼材から構成され、中央部分は平板状のプレート部４とされ、プレート部の両端７は上に直角に屈曲されて補強処理が施されている。
プレート部４の中央には２カ所の支軸６の貫通孔８が形成され、貫通孔８を挟んだ両側にはそれぞれ４カ所、合計で８カ所のアンカー軸３の固定孔９が形成されている。
前記固定孔９はプレートの両側にそれぞれ正方形の四隅に位置する部位に穿孔されている。
前記固定孔９、貫通孔８は挿入する軸径に応じて適宜設定されるが、本実施例では１６ｍｍとされている。
取付金具２の大きさは一例として縦５００ｍｍ〜６００ｍｍ、幅２００ｍｍ前後、厚さ数ｍｍのものを使用する。
【００１８】
貫通孔８はプレート部４の中心部位に長さ方向に８５ｍｍの間隔をおいて形成されている。
貫通孔８はプレート部の下面に筒状に突設され、その筒状部１０は上端が内径１６ｍｍ、上端を除いた下部は外径４２ｍｍとされ、貫通孔８は上から支軸６を挿入できる径とされている。また、筒状部１０の下部は支軸６を挿通した際に支軸との間に空間が形成され、この空間には後述するエポキシ樹脂が充填されて支軸６がプレート部４に強固に接着されると共に防水処理がなされる。
プレート部の下側に筒状部１０が２５ｍｍ突設されており、プレート部４の下面に筒状部１０が２カ所隆起した状態となっている。
取付金具５を基礎面１に設置すると、隆起した貫通孔８が基礎面１に当接した状態でプレート部４が基礎面１から幅を開けて取付けられる。つまり、プレート部４が基礎面１から浮き上がった位置に固定されて、支軸６の固定深さが確保される。
【００１９】
アンカー軸３は取付金具２を据えつけるためにコンクリート基礎面１に埋め込むボルトであり、螺子が形成された軸部１１と、軸部上端の拡径した頭部１２を備えており、全長１００ｍｍの大きさを有している。
アンカー軸３はプレート部４の固定孔９に挿通されて頭部１２がプレート部４に溶接、あるいは螺着して強固に固定される。アンカー軸３を取付金具２に取付けると８本のアンカー軸３が取付金具２の下方に突設された状態とされる。
【００２０】
アンカー軸３の上方のプレート部４と基礎面１の間に位置する部位には、軸上に螺着してナット１３が配置されている。このナット１３は軸部１１をスライドして上下し、アンカー軸上の所定の位置で停止している。８本のアンカー軸上においてナット１３は同一のレベルで停止してアンカー軸３の埋め込み深さを規制する機能を有している。つまり、基礎面１にアンカー軸３の埋め込み孔をドリル等で穿孔して、その孔にそれぞれ８本のアンカー軸を埋め込む際に、このナット１３が軸上に配置されているので、ナットが基礎面１の孔の入口（上端）に係止してそれ以上のアンカー軸３の陥入を停止する。アンカー軸３の陥入が所定の位置で停止するために、プレート部４が傾かずに水平に維持され、基礎面１と水平に幅を開けて容易に取付けることができる。
そして、本実施例ではナット１３の下側の基礎面１との間にパッキン１４を配置しており、アンカー軸３が固着した後にナット１３を締めてパッキン１４を床面に押し付け、雨水等の侵入を防止するようにしている。
【００２１】
支軸６は取付金具２と支柱５を連結するボルトであり、貫通孔８に挿通されて下方は基礎面１に埋め込まれ、その上方が取付金具２の垂直方向に支軸６が突設されるようになっている。
支軸６は貫通孔８に挿通され、筒状部１０との間に充填された接着剤によって固定され、取付金具２に一体固定される。そして、プレート部４は所定の高さ施工面から浮き上がっているので、埋め込み深さが確保されて支軸６が強固に固定される。
この突設された支軸６に架台の支柱５が取付けられ、架台上にソーラーパネルが設置される。
【００２２】
次に本考案のパネル取付構造を適用したパネルの施工方法を説明する。
取付金具２の固定孔９にアンカー軸３を挿通して頭部１２を溶接し取付金具２の下方に８本のアンカー軸３を突設する。
次に、施工面であるコンクリート床面に取付金具１個につきアンカー軸８本、支軸２本の埋め込み孔をドリルで穿孔する。
埋め込み孔にアンカー軸３を挿入してエポキシ樹脂等の接着剤を流し込みそれぞれを固定する。
取付金具を基礎面に取り付けた後に、架台の支柱５を取り付けた支軸６をプレート部の貫通孔８に挿通する。
このとき、貫通孔８の筒状部１０の内周には支軸６との間に空間が設けられているので、この空間にエポキシ樹脂等の接着剤を充填して、埋め込み孔と支軸、及びプレート部と支軸を固定する。
これによって、取付金具２の上方には支柱５が固定される。
【００２３】
ここで、アンカー軸３の固定に際しては位置調整ナット１３が備えられているので、少なくともプレート部２の４隅に位置するアンカー軸上の位置調整ナット１３の高さを予め設定しておけば、プレート部４を基礎面１と水平に幅を開けて容易に取付けることができ、接着剤が固化するまでプレート部４を水平に維持する。
また、アンカー軸３を埋め込み孔に挿入する際に、ナット１３の下面にパッキン１４を入れ込み、アンカー軸３が固着した後はナット１３を回転させてパッキン１４を基礎面１に押し付けて防水処理を行う。尚、必要に応じ、埋め込み孔の周辺はウレタン系防水剤で表面をコートして防水処理を行う。
【００２４】
プレート部４の下面には貫通孔８が２５ｍｍ隆起しているので、プレート部は２５ｍｍ以上基礎面から浮き上がった状態で固定される。
この浮き上がった状態で取付けられることにより、基礎面上にプレート部面の高さがプラスした支軸６の挿通深さが確保され、支軸６を深く埋め込むのと同一の効果が得られる。
アンカー軸３を深く挿通すると床面の防水層を破壊するおそれがあるが、本考案では上記構成を採用しているために、コンクリート床面への埋め込み深さが浅い場合であっても強固な取付構造が実現される。
【００２５】
図５、６は本実施例のパネル取付構造を適用してソーラーパネル１５を取り付けた状態を示す説明図である。
取付金具２は図６に示すように屋上床面の複数の箇所に取付けられ、それぞれの取付金具２の上面には支柱５が固定され、支柱の上に架台を組立て、その架台にソーラーパネル１５が取り付けられる。
【００２６】
以上、本考案の実施例を説明したが、本考案の具体的な構成については、本実施例の形態に限られるものではなく、実用新案登録請求の範囲の各請求項に係る考案の要旨を逸脱しない範囲の設計変更があっても本考案に含まれる。
例えば、前記実施例において取付金具は長方形のものを使用したがプレート部を備えた形状であれば他の形状を採用する場合であっても本考案に含まれる。
また、前記実施例で説明した基礎面（施工面）としては床面の他、垂直な壁面に適用する場合であっても本考案に含まれる。
そして、前記実施例では取付金具２を固定した後に貫通孔８の上方から支軸６を差し込む構成としたが、筒状部１０の内周に予め支軸６を密着させて、あるいは筒状部１０の上端から下端まで内周に雌螺子を形成して、その螺子孔に支軸６を螺着させた後に、取付金具を基礎面に固定する場合であっても本発明に含まれる。
さらに、前記実施例ではアンカー軸３をプレート部４に溶接する構成としたが、アンカー軸３の取付けに際しては溶接によらずに、ナット１３を頭部１２方向へ締めてプレート部４の両面をナット１３と頭部１２によって挟み込むことによってアンカー軸３を固定することも可能である。この場合には別途パッキン１４を固定するナットを設定するか、あるいはパッキンを使用せずに、ウレタン系防水材で基礎面の表面をコートして防水処理を行う。
【図面の簡単な説明】
【００２７】
【図１】取付金具の平面図である。
【図２】取付金具にアンカー軸を固定した状態の正面図である。
【図３】取付金具の施工状態を示す側断面図である。
【図４】取付金具の施工状態を示す正面断面図である。
【図５】ソーラーパネルの取付け状態を示す側面図である。
【図６】ソーラーパネルの取付け状態を示す平面図である。
【符号の説明】
【００２８】
１  基礎面
２  取付金具
３  アンカー軸
４  プレート部
５  支柱
６  支軸
７  両端
８  貫通孔
９  固定孔
１０  筒状部
１１  軸部
１２  頭部
１３  ナット
１４  パッキン
１５  ソーラーパネル
【図１】
0003161082.tif 000003
【図２】
0003161082.tif 000004
【図３】
0003161082.tif 000005
【図４】
0003161082.tif 000006
【図５】
0003161082.tif 000007
【図６】
0003161082.tif 000008
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
パネル等の架台の支柱を構造物の基礎面に取り付けるパネル取付構造であって、
構造物の基礎面上に固定されるプレート部を備えた取付金具と、取付金具を基礎面へ固定するアンカー軸と、取付金具のプレート部に挿通されて支柱を支持する支軸とを備え、
プレート部の下方に複数本のアンカー軸を突設し、そのアンカー軸の先方を基礎面に埋め込み、それによって、プレート部を基礎面から幅を開けて取付け、
プレート部の上面から支柱の支軸を貫通させてその先方を基礎面に埋設固定したことを特徴とするパネル取付構造。
【請求項２】
支軸の貫通孔はプレート部の下面に筒状に突設され、支軸はその筒状に突設された孔に挿通する構成とした請求項１記載のパネル取付構造。
【請求項３】
プレート部の中央部分に支軸の貫通孔を形成し、その貫通孔の両側にそれぞれ間隔を開けて４カ所にアンカー軸を突設したことを特徴とする請求項１又は２記載のパネル取付構造。
【請求項４】
アンカー軸の軸上には埋め込み孔の上端に係止してアンカー軸の埋め込み深さを規制するナットが設けられていることを特徴とする請求項１〜３いずれか記載のパネル取付構造。
【請求項５】
ナットと基礎面の間にパッキンを介在させて、アンカー軸を基礎面に固着した後に、ナットを回転させてパッキンを基礎面に押し付け、防水処理を行う構成とした請求項４記載のパネル取付構造。
【請求項６】
プレート部の両端を上方または下方に屈曲させて補強処理を施したことを特徴とする請求項１〜５いずれか記載のパネル取付構造。